(57)【要約】    【課題】      ダイバーシチハンドオーバする際、制御負荷を軽減することができるとともに、移動局は所定の通信品質を満たすことができる基地局と確実に接続すること。    【解決手段】  移動速度検出部１０４は、受信信号より移動局の移動速度を検出する。ＨＯ制御パラメータ判定部１０５は、端末装置の移動速度に基づいてハンドオーバ制御パラメータを可変にて設定する。接続判定部１０６は、ＨＯ制御パラメータ判定部１０５にて設定したハンドオーバ制御パラメータ及び移動局から所定の周期にて報告されるＭｅａｓｕｒｅｍｅｎｔ  Ｒｅｐｏｒｔに基づいて、移動局が接続する基地局装置を選択して移動局へ通知する。  【選択図】      図１
2005311626.tif 000002
【特許請求の範囲】
【請求項１】
端末装置が所定の品質にて受信可能な前記端末装置における受信電力の範囲を通信環境に基づいて可変にて設定する設定手段と、
前記端末装置における各基地局装置の受信電力が前記設定手段にて設定された前記受信電力の範囲内である前記基地局装置を選択する接続判定手段と、
前記端末装置に対して前記接続判定手段にて選択された前記基地局装置との接続を指示する指示手段と、
を具備することを特徴とする制御局装置。
【請求項２】
前記設定手段は、前記通信環境を示す前記端末装置の移動速度が速いほど前記受信電力の範囲を小さくすることを特徴とする請求項１記載の制御局装置。
【請求項３】
前記設定手段は、前記通信環境を示す遅延プロファイルにおける受信レベルがしきい値以上であるパスの数が多くなるほど前記受信電力の範囲を小さくすることを特徴とする請求項１または請求項２記載の制御局装置。
【請求項４】
前記設定手段は、前記通信環境を示す基地局装置の電力リソースが少なくなるほど前記受信電力の範囲を小さくすることを特徴とする請求項１から請求項３のいずれかに記載の制御局装置。
【請求項５】
前記設定手段は、前記通信環境を示す通信品質が良好になるほど前記受信電力の範囲を小さくすることを特徴とする請求項１から請求項４のいずれかに記載の制御局装置。
【請求項６】
前記設定手段は、前記通信環境を示す伝搬損失が大きいほど前記受信電力の範囲を大きくすることを特徴とする請求項１から請求項５のいずれかに記載の制御局装置。
【請求項７】
前記設定手段は、都会から田舎までの段階的に設けられた複数のモードの内、ユーザにより任意のタイミングにて選択される前記モードが都会であるほど前記受信電力の範囲を大きくすることを特徴とする請求項１から請求項６のいずれかに記載の制御局装置。
【請求項８】
端末装置における基地局装置毎の受信電力の情報である受信電力情報を前記端末装置より報告してもらう時間間隔を通信環境に基づいて可変にて設定する設定手段と、
前記時間間隔にて報告される前記受信電力情報の受信電力が前記端末装置にて所定の品質にて受信可能な範囲である基地局装置を選択する接続判定手段と、
前記端末装置に対して前記接続判定手段にて選択された前記基地局装置との接続を指示する指示手段と、
を具備することを特徴とする制御局装置。
【請求項９】
前記設定手段は、前記通信環境を示す前記端末装置の移動速度が速いほど前記時間間隔を大きくすることを特徴とする請求項８記載の制御局装置。
【請求項１０】
前記設定手段は、前記通信環境を示す遅延プロファイルにおける受信レベルがしきい値以上であるパスの数が多くなるほど前記時間間隔を小さくすることを特徴とする請求項８または請求項９記載の制御局装置。
【請求項１１】
前記設定手段は、前記通信環境を示す基地局装置の電力リソースが少なくなるほど前記時間間隔を小さくすることを特徴とする請求項８から請求項１０のいずれかに記載の制御局装置。
【請求項１２】
前記設定手段は、前記通信環境を示す通信品質が良好になるほど前記時間間隔を大きくすることを特徴とする請求項８から請求項１１のいずれかに記載の制御局装置。
【請求項１３】
前記設定手段は、前記通信環境を示す伝搬損失が大きいほど前記時間間隔を小さくすることを特徴とする請求項８から請求項１２のいずれかに記載の制御局装置。
【請求項１４】
前記設定手段は、都会から田舎までの複数のモードの内、ユーザにより任意のタイミングにて選択される前記モードが都会であるほど前記時間間隔を小さくすることを特徴とする請求項８から請求項１３のいずれかに記載の制御局装置。
【請求項１５】
端末装置における受信信号が継続して所定の品質を満たす時間と比較する継続時間を通信環境に基づいて可変にて設定する設定手段と、
前記端末装置における受信信号が継続して所定の品質を満たす時間が前記継続時間以上の前記基地局装置を選択する接続判定手段と、
前記端末装置に対して前記接続判定手段にて選択された前記基地局装置との接続を指示する指示手段と、
を具備することを特徴とする制御局装置。
【請求項１６】
前記設定手段は、前記通信環境を示す前記端末装置の移動速度が速いほど前記継続時間を大きくすることを特徴とする請求項１５記載の制御局装置。
【請求項１７】
前記設定手段は、前記通信環境を示す遅延プロファイルにおける受信レベルがしきい値以上であるパスの数が多くなるほど前記継続時間を小さくすることを特徴とする請求項１５または請求項１６記載の制御局装置。
【請求項１８】
前記設定手段は、前記通信環境を示す基地局装置の電力リソースが少なくなるほど前記継続時間を小さくすることを特徴とする請求項１５から請求項１７のいずれかに記載の制御局装置。
【請求項１９】
前記設定手段は、前記通信環境を示す通信品質が良好になるほど前記継続時間を大きくすることを特徴とする請求項１５から請求項１８のいずれかに記載の制御局装置。
【請求項２０】
前記設定手段は、前記通信環境を示す伝搬損失が大きいほど前記継続時間を大きくすることを特徴とする請求項１５から請求項１９のいずれかに記載の制御局装置。
【請求項２１】
前記設定手段は、都会から田舎までの複数のモードの内、ユーザにより任意のタイミングにて選択される前記モードが都会であるほど前記継続時間を大きくすることを特徴とする請求項１５から請求項２０のいずれかに記載の制御局装置。
【請求項２２】
端末装置が所定の品質にて受信可能な前記端末装置における受信電力の範囲を通信環境に基づいて可変にて設定するステップと、
前記端末装置における各基地局装置の受信電力が前記範囲内である前記基地局装置を選択するステップと、
前記端末装置に対して選択された前記基地局装置との接続を指示するステップと、
を具備することを特徴とするハンドオーバ方法。
【請求項２３】
端末装置における基地局装置毎の受信電力の情報である受信電力情報を前記端末装置より報告してもらう時間間隔を通信環境に基づいて可変にて設定するステップと、
前記時間間隔にて報告される前記受信電力情報の受信電力が前記端末装置にて所定の品質にて受信可能な範囲である基地局装置を選択するステップと、
前記端末装置に対して選択された前記基地局装置との接続を指示するステップと、
を具備することを特徴とするハンドオーバ方法。
【請求項２４】
端末装置における受信信号が継続して所定の品質を満たす時間と比較する継続時間を通信環境に基づいて可変にて設定するステップと、
前記端末装置における受信信号が継続して所定の品質を満たす時間が前記継続時間以上の前記基地局装置を選択するステップと、
前記端末装置に対して選択された前記基地局装置との接続を指示するステップと、
を具備することを特徴とするハンドオーバ方法。
【発明の詳細な説明】
【技術分野】
【０００１】
本発明は制御局装置及びハンドオーバ方法に関し、例えば移動局が移動に伴って複数の基地局を選択して通信を行うように切り替える制御局装置及びハンドオーバ方法に関する。
【背景技術】
【０００２】
ハンドオーバ制御（以下「ＨＯ制御」と記載する)はＣＤＭＡシステムにおいて特徴的な無線回線制御の１つである。このＨＯ制御により、セル間またはセクタ間の境界付近の所定領域において、移動局（ＭＳ）は複数のセルまたはセクタと複数の通信チャネルを同時に設定して通信を行う。これにより、上り回線または下り回線において、複数の受信した信号を最大比合成や選択合成することにより、通信の安定化、無瞬断化及び容量増大等の効果をもたらす。このようなＨＯ制御において、移動局と複数の基地局との間にてダイバーシチハンドオーバを行うものが知られている（例えば、特許文献１）。
【０００３】
図１８は、従来のダイバーシチハンドオーバの方法を示すものである。図１８より、基地局１０−１、１０−２、１０−３、１０−４と移動局１１との間の通信品質に基づいて、通信品質レベルがＬ１の時は、ダイバーシチ接続数を１とし、通信品質レベルがＬ２の時は、ダイバーシチ接続数を２とし、通信品質レベルが低い場合は、ダイバーシチ接続数を多くする。制御局１２は、ダイバーシチ接続数に対応した基地局１０−１、１０−２、１０−３、１０−４を制御して、移動局１１との通信を行わせる。
【０００４】
また、ダイバーシチハンドオーバはＨＯ制御アルゴリズムに基づいて行われる。図１９は、ＨＯ制御アルゴリズムを示すものである。ＨＯ制御アルゴリズムにおいては、各Ｅｖｅｎｔを起動した後にＡＳ（Active Set)の更新を行う。そして、ＡＳの更新により、移動局と基地局（ＢＳ）間の無線リンクの追加及び削除を行う。そこで、図１９を用いてＥｖｅｎｔ毎の制御方法について説明する。図１９は、基地局１〜４から共通制御チャネルの１つであるＰ−ＣＰＩＣＨにて送信信号が送信される場合のＷｉｎｄｏｗとＥｖｅｎｔのイメージを示すものである。なお、図１９において、横軸は時間であり、縦軸は電力レベルを示すものである。
【０００５】
Ｅｖｅｎｔ１Ａにおいて、Ｎｏｎ−Ａｃｔｉｖｅである基地局３のＰ−ＣＰＩＣＨ＃２０が、Ｅｖｅｎｔ１Ａの起動を判断するしきい値であるＡｄｄｉｔｉｏｎ  Ｗｉｎｄｏｗ＃２１内に入る場合、Ｅｖｅｎｔ１Ａを起動して基地局３をＡＳに追加する。
【０００６】
また、Ｅｖｅｎｔ１Ｂにおいて、Ａｃｔｉｖｅである基地局１のＰ−ＣＰＩＣＨ＃２２が、Ｅｖｅｎｔ１Ｂの起動を判断するしきい値であるＤｒｏｐ  Ｗｉｎｄｏｗ＃２３外となる場合、Ｅｖｅｎｔ１Ｂを起動して基地局１をＡＳから削除する。
【０００７】
また、Ｅｖｅｎｔ１Ｃにおいて、ＡＳが最大数となっている場合、Ｎｏｎ−Ａｃｔｉｖｅである基地局４のＰ−ＣＰＩＣＨ＃２４とＡｃｔｉｖｅである基地局の中で一番Ｐ−ＣＰＩＣＨのレベルが小さい基地局２のＰ−ＣＰＩＣＨ＃２５との差が、Ｅｖｅｎｔ１Ｃの起動を判断するしきい値であるＲｅｐｌａｃｅｍｅｎｔ  Ｗｉｎｄｏｗ＃２６の値を超えた場合、Ｅｖｅｎｔ１Ｃを起動し、Ｎｏｎ−Ａｃｔｉｖｅである基地局４はＡＳに追加し、Ａｃｔｉｖｅである基地局２はＡＳから削除してＮｏｎ−Ａｃｔｉｖｅに切り替える。
【０００８】
ここで、Ａｄｄｉｔｉｏｎ  Ｗｉｎｄｏｗ＃２１及びＤｒｏｐ  Ｗｉｎｄｏｗ＃２３は、ＡＳ内で信号レベルが最大のセルまたはセクタと所定のしきい値＃２７との電力レベルの差を示すものである。また、Ａｄｄｉｔｉｏｎ  Ｗｉｎｄｏｗ＃２１及びＤｒｏｐ  Ｗｉｎｄｏｗ＃２３は、ＨＯ制御パラメータであるＲｅｐｏｒｔｉｎｇ  ｒａｎｇｅ及びＨｙｓｔｅｒｅｓｉｓから導出される。例えば、Ａｄｄｉｔｉｏｎ  Ｗｉｎｄｏｗ＃２１は、Ｒ−Ｈ／２（ただし、ＲはＲｅｐｏｒｔｉｎｇ  ｒａｎｇｅ、ＨはＨｙｓｔｅｒｅｓｉｓ）より求めることができ、Ｄｒｏｐ  Ｗｉｎｄｏｗ＃２３は、Ｒ＋Ｈ／２（ただし、ＲはＲｅｐｏｒｔｉｎｇ  ｒａｎｇｅ、ＨはＨｙｓｔｅｒｅｓｉｓ）より求めることができる。また、Ｒｅｐｌａｃｅｍｅｎｔ  Ｗｉｎｄｏｗ＃２６は、Ｈ／２（ただし、ＨはＨｙｓｔｅｒｅｓｉｓ）より求めることができる。したがって、Ｈが０の場合、図１９に示すように、Ａｄｄｉｔｉｏｎ  Ｗｉｎｄｏｗ＃２１とＤｒｏｐ  Ｗｉｎｄｏｗ＃２３とは共に同じ幅になる。さらに、Ｅｖｅｎｔの起動において、ＨＯ制御パラメータであるＴｉｍｅ  ｔｏ  ｔｒｉｇｇｅｒで設定された期間内は、常に各Ｅｖｅｎｔの窓幅内でなければＥｖｅｎｔは起動されない。これにより、頻繁な起動による処理負荷を軽減することができる。
【特許文献１】特開２００１−２３８２３９号公報
【発明の開示】
【発明が解決しようとする課題】
【０００９】
しかしながら、従来の制御局装置及びハンドオーバ方法においては、移動局から報告される基地局の電力レベルがＷｉｎｄｏｗ内に入り、かつＴｉｍｅ  ｔｏ  ｔｒｉｇｇｅｒで設定された期間内に基地局の電力レベルがＷｉｎｄｏｗ内であれば常にＥｖｅｎｔが起動される。この結果、基地局の接続数の制限により実際には選択されない基地局のためにＥｖｅｎｔが起動されることとなる。例えば、基地局の接続数が２に制限されている場合で、かつすでに２つの基地局が選択されている場合において、選択できない３つ目の基地局がＷｉｎｄｏｗ内に含まれるようになった時、３つ目の基地局は選択できないにもかかわらずＥｖｅｎｔが起動される。このような場合には、無駄な制御を行うことになるとともに制御負荷を軽減することができないという問題がある。
【００１０】
また、従来の制御局装置及びハンドオーバ方法においては、基地局の接続数を選択する際、通信品質レベルが低い場合には移動局はセルエッジにて基地局と通信しているものと推定して基地局の接続数を変えるだけであり、移動局周辺の通信環境及び移動局の使用状態等が考慮されないという問題がある。したがって、従来の制御局装置及びハンドオーバ方法においては、移動局はダイバーシチハンドオーバの際に充分な品質が得られない基地局と接続してしまう可能性があるという問題がある。
【００１１】
本発明はかかる点に鑑みてなされたものであり、ダイバーシチハンドオーバする際、制御負荷を軽減することができるとともに、移動局は所定の通信品質を満たすことができる基地局と確実に接続することができる制御局装置及びハンドオーバ方法を提供することを目的とする。
【課題を解決するための手段】
【００１２】
本発明の制御局装置は、端末装置が所定の品質にて受信可能な前記端末装置における受信電力の範囲を通信環境に基づいて可変にて設定する設定手段と、前記端末装置における各基地局装置の受信電力が前記設定手段にて設定された前記受信電力の範囲内である前記基地局装置を選択する接続判定手段と、前記端末装置に対して前記接続判定手段にて選択された前記基地局装置との接続を指示する指示手段と、を具備する構成を採る。
【００１３】
この構成によれば、端末装置が所定の品質にて受信可能な端末装置における受信電力の範囲を通信環境に基づいて可変にて設定するので、受信電力の範囲に含まれる基地局装置を通信環境に応じて変えることができる。これにより、基地局装置を接続または削除する処理を開始した場合には必ず接続または削除する基地局装置が選択されるので、ダイバーシチハンドオーバする際に無駄な制御を行うことがなくて制御負荷を軽減することができるとともに、移動局は所定の通信品質を満たすことができる基地局と確実に接続することができる。
【００１４】
本発明の制御局装置は、前記構成において、前記設定手段は、前記通信環境を示す前記端末装置の移動速度が速いほど前記受信電力の範囲を小さくする構成を採る。
【００１５】
この構成によれば、前記効果に加えて、端末装置の移動速度に応じて基地局装置を選択するので、例えば端末装置の移動速度が速いために伝搬変動が大きい場合は、受信電力の範囲を小さくすることにより接続対象となる基地局装置を減らし、端末装置の移動速度が遅いために伝搬変動が小さい場合は、受信電力の範囲を大きくすることにより接続対象となる基地局装置を増加させる。これにより、通信環境に応じて最適な数の最適な基地局装置と接続することができる。
【００１６】
本発明の制御局装置は、前記構成において、前記設定手段は、前記通信環境を示す遅延プロファイルにおける受信レベルがしきい値以上であるパスの数が多くなるほど前記受信電力の範囲を小さくする構成を採る。
【００１７】
この構成によれば、前記効果に加えて、パスの数に応じて基地局装置を選択するので、例えばマルチパス干渉が大きい場合は、受信電力の範囲を小さくして接続対象となる基地局装置を減らし、マルチパス干渉が小さい場合は受信電力の範囲を大きくして接続対象となる基地局装置を増加させる。これにより、通信環境に応じて最適な数の最適な基地局装置と接続することができる。
【００１８】
本発明の制御局装置は、前記構成において、前記設定手段は、前記通信環境を示す基地局装置の電力リソースが少なくなるほど前記受信電力の範囲を小さくする構成を採る。
【００１９】
この構成によれば、前記効果に加えて、電力リソースに応じて基地局装置を選択するので、例えば電力リソースが小さい場合は、受信電力の範囲を小さくすることにより接続対象の基地局装置を減らし、電力リソースが大きい場合は、受信電力の範囲を大きくすることにより接続対象の基地局装置を増加させる。これにより、電力リソースを有効に利用することができる。
【００２０】
本発明の制御局装置は、前記構成において、前記設定手段は、前記通信環境を示す通信品質が良好になるほど前記受信電力の範囲を小さくする構成を採る。
【００２１】
この構成によれば、前記効果に加えて、通信品質に応じて基地局装置を選択するので、例えば通信品質が劣化した場合は、受信電力の範囲を大きくして接続対象の基地局装置が増加するようにし、通信品質が良好である場合は、受信電力の範囲を小さくして接続対象の基地局装置を減らすようにする。これにより、通信環境に応じて最適な数の最適な基地局装置と接続することができる。
【００２２】
本発明の制御局装置は、前記構成において、前記設定手段は、前記通信環境を示す伝搬損失が大きいほど前記受信電力の範囲を大きくする構成を採る。
【００２３】
この構成によれば、前記効果に加えて、例えば伝搬損失より都会または田舎等の通信環境を推定することができるので、例えばビル等の高層建築物が多い都会である場合は受信電力の範囲を大きくして接続される基地局装置の数が多くなるようにし、ビル等の高層建築物が少ない田舎である場合は受信電力の範囲を小さくして接続される基地局装置の数を少なくする。これにより、通信環境に応じて最適な数の最適な基地局装置と接続することができる。
【００２４】
本発明の制御局装置は、前記構成において、前記設定手段は、都会から田舎までの段階的に設けられた複数のモードの内、ユーザにより任意のタイミングにて選択される前記モードが都会であるほど前記受信電力の範囲を大きくする構成を採る。
【００２５】
この構成によれば、前記効果に加えて、端末装置のユーザが通信環境を判断してモードを選択するので、通信環境の変化に柔軟に対応することができる。
【００２６】
本発明の制御局装置は、端末装置における基地局装置毎の受信電力の情報である受信電力情報を前記端末装置より報告してもらう時間間隔を通信環境に基づいて可変にて設定する設定手段と、前記時間間隔にて報告される前記受信電力情報の受信電力が前記端末装置にて所定の品質にて受信可能な範囲である基地局装置を選択する接続判定手段と、前記端末装置に対して前記接続判定手段にて選択された前記基地局装置との接続を指示する指示手段と、を具備する構成を採る。
【００２７】
この構成によれば、端末装置における基地局装置毎の受信電力の情報である受信電力情報を端末装置より報告してもらう時間間隔を通信環境に基づいて可変にて設定するので、受信電力情報を受信する毎に行われる基地局装置を選択するか否かを判定する処理のタイミングを、通信環境に応じて制御することができる。これにより、ダイバーシチハンドオーバする際に無駄な制御を行うことがなくて制御負荷を軽減することができるとともに、移動局は所定の通信品質を満たすことができる基地局と確実に接続することができる。
【００２８】
本発明の制御局装置は、前記構成において、前記設定手段は、前記通信環境を示す前記端末装置の移動速度が速いほど前記時間間隔を大きくする構成を採る。
【００２９】
この構成によれば、前記効果に加えて、端末装置の移動速度に応じて基地局装置を選択するので、例えば端末装置の移動速度が速いために伝搬変動が大きい場合は、時間間隔を大きくすることにより基地局装置を選択するか否かを判定する処理の回数を少なくして処理負荷を軽減することができる。
【００３０】
本発明の制御局装置は、前記構成において、前記設定手段は、前記通信環境を示す遅延プロファイルにおける受信レベルがしきい値以上であるパスの数が多くなるほど前記時間間隔を小さくする構成を採る。
【００３１】
この構成によれば、前記効果に加えて、パスの数に応じて基地局装置を選択するので、例えばマルチパス干渉が大きい場合は、受信電力情報を報告してもらう時間間隔を小さくして、報告毎に行われる基地局装置を選択するか否かを判定する処理の回数を多くすることにより即時に基地局装置を選択できるようにする。これにより、通信環境に応じて最適な数の最適な基地局装置と接続することができる。
【００３２】
本発明の制御局装置は、前記構成において、前記設定手段は、前記通信環境を示す基地局装置の電力リソースが少なくなるほど前記時間間隔を小さくする構成を採る。
【００３３】
この構成によれば、前記効果に加えて、電力リソースに応じて基地局装置を選択するので、例えば電力リソースが小さい場合は、受信電力情報を報告してもらう時間間隔を小さくして、報告毎に行われる基地局装置を選択するか否かを判定する処理の回数を多くすることにより即時に基地局装置を選択できるようにする。これにより、電力リソースが少ない場合において、最小限の数の基地局装置と効率良く接続することができる。
【００３４】
本発明の制御局装置は、前記構成において、前記設定手段は、前記通信環境を示す通信品質が良好になるほど前記時間間隔を大きくする構成を採る。
【００３５】
この構成によれば、前記効果に加えて、通信品質に応じて基地局装置を選択するので、例えば通信品質が劣化した場合は、受信電力情報を報告してもらう時間間隔を小さくして、報告毎に行われる基地局装置を選択するか否かを判定する処理の回数を多くすることにより接続対象の基地局装置が増加するようにし、通信品質が良好である場合は、受信電力情報を報告してもらう時間間隔を大きくして、報告毎に行われる基地局装置を選択するか否かを判定する処理の回数を少なくすることにより接続対象の基地局装置が減るようにする。これにより、通信環境に応じて最適な数の最適な基地局装置と接続することができる。
【００３６】
本発明の制御局装置は、前記構成において、前記設定手段は、前記通信環境を示す伝搬損失が大きいほど前記時間間隔を小さくする構成を採る。
【００３７】
この構成によれば、前記効果に加えて、例えば伝搬損失より都会または田舎等の通信環境を推定することができるので、ビル等の高層建築物が多い都会である場合は、受信電力情報を報告してもらう時間間隔を小さくして、報告毎に行われる基地局装置を選択するか否かを判定する処理の回数を多くすることにより接続対象の基地局装置が増加するようにし、ビル等の高層建築物が少ない田舎である場合は、受信電力情報を報告してもらう時間間隔を大きくして、報告毎に行われる基地局装置を選択するか否かを判定する処理の回数を少なくすることにより接続対象の基地局装置が減るようにする。これにより、通信環境に応じて最適な数の最適な基地局装置と接続することができる。
【００３８】
本発明の制御局装置は、前記構成において、前記設定手段は、都会から田舎までの複数のモードの内、ユーザにより任意のタイミングにて選択される前記モードが都会であるほど前記時間間隔を小さくする構成を採る。
【００３９】
この構成によれば、前記効果に加えて、端末装置のユーザが通信環境を判断してモードを選択するので、通信環境の変化に柔軟に対応することができる。
【００４０】
本発明の制御局装置は、端末装置における受信信号が継続して所定の品質を満たす時間と比較する継続時間を通信環境に基づいて可変にて設定する設定手段と、前記端末装置における受信信号が継続して所定の品質を満たす時間が前記継続時間以上の前記基地局装置を選択する接続判定手段と、前記端末装置に対して前記接続判定手段にて選択された前記基地局装置との接続を指示する指示手段と、を具備する構成を採る。
【００４１】
この構成によれば、端末装置における受信信号が継続して所定の品質を満たす時間と比較する継続時間を通信環境に基づいて可変にて設定するので、基地局装置を選択することを決定するまでの時間を通信環境に応じて変えることができる。これにより、選択する必要のない基地局装置を不用意に選択してしまうことがないので、ダイバーシチハンドオーバする際に無駄な制御を行うことがなくて制御負荷を軽減することができるとともに、移動局は所定の通信品質を満たすことができる基地局と確実に接続することができる。
【００４２】
本発明の制御局装置は、前記構成において、前記設定手段は、前記通信環境を示す前記端末装置の移動速度が速いほど前記継続時間を大きくする構成を採る。
【００４３】
この構成によれば、前記効果に加えて、端末装置の移動速度に応じて基地局装置を選択するので、例えば端末装置の移動速度が速いために伝搬変動が大きい場合は、継続時間を大きくすることにより基地局装置を選択する処理の回数を少なくして処理負荷を軽減することができる。
【００４４】
本発明の制御局装置は、前記構成において、前記設定手段は、前記通信環境を示す遅延プロファイルにおける受信レベルがしきい値以上であるパスの数が多くなるほど前記継続時間を小さくする構成を採る。
【００４５】
この構成によれば、前記効果に加えて、パスの数に応じて基地局装置を選択するので、例えばマルチパス干渉が大きい場合は、基地局装置を選択するか否かを判定する継続時間を小さくすることにより即時に基地局装置を選択できるようにする。これにより、通信環境に応じて最適な数の最適な基地局装置と接続することができる。
【００４６】
本発明の制御局装置は、前記構成において、前記設定手段は、前記通信環境を示す基地局装置の電力リソースが少なくなるほど前記継続時間を小さくする構成を採る。
【００４７】
この構成によれば、前記効果に加えて、電力リソースに応じて基地局装置を選択するので、例えば電力リソースが小さい場合は、基地局装置を選択するか否かを判定する継続時間を小さくすることにより即時に基地局装置を選択できるようにする。これにより、電力リソースが少ない場合において、最小限の数の基地局装置と効率良く接続することができる。
【００４８】
本発明の制御局装置は、前記構成において、前記設定手段は、前記通信環境を示す通信品質が良好になるほど前記継続時間を大きくする構成を採る。
【００４９】
この構成によれば、前記効果に加えて、通信品質に応じて基地局装置を選択するので、例えば通信品質が劣化した場合は、基地局装置を選択するか否かを判定する継続時間を小さくすることにより即時に基地局装置を選択できるようにする。これにより、通信環境に応じて最適な数の最適な基地局装置と接続することができる。
【００５０】
本発明の制御局装置は、前記構成において、前記設定手段は、前記通信環境を示す伝搬損失が大きいほど前記継続時間を大きくする構成を採る。
【００５１】
この構成によれば、前記効果に加えて、例えば伝搬損失より都会または田舎等の通信環境を推定することができるので、ビル等の高層建築物が多い都会である場合は、基地局装置を選択するか否かを判定する継続時間を大きくすることにより基地局装置を選択する処理の回数を少なくして処理負荷を軽減する。これにより、通信環境に応じて処理負荷を制御することができる。
【００５２】
本発明の制御局装置は、前記構成において、前記設定手段は、都会から田舎までの複数のモードの内、ユーザにより任意のタイミングにて選択される前記モードが都会であるほど前記継続時間を大きくする構成を採る。
【００５３】
この構成によれば、前記効果に加えて、端末装置のユーザが通信環境を判断してモードを選択するので、通信環境の変化に柔軟に対応することができる。
【００５４】
本発明のハンドオーバ方法は、端末装置が所定の品質にて受信可能な前記端末装置における受信電力の範囲を通信環境に基づいて可変にて設定するステップと、前記端末装置における各基地局装置の受信電力が前記範囲内である前記基地局装置を選択するステップと、前記端末装置に対して選択された前記基地局装置との接続を指示するステップと、を具備するようにした。
【００５５】
この方法によれば、端末装置が所定の品質にて受信可能な端末装置における受信電力の範囲を通信環境に基づいて可変にて設定するので、受信電力の範囲に含まれる基地局装置を通信環境に応じて変えることができる。これにより、基地局装置を接続または削除する処理を開始した場合には必ず接続または削除する基地局装置が選択されるので、ダイバーシチハンドオーバする際に無駄な制御を行うことがなくて制御負荷を軽減することができるとともに、移動局は所定の通信品質を満たすことができる基地局と確実に接続することができる。
【００５６】
本発明のハンドオーバ方法は、端末装置における基地局装置毎の受信電力の情報である受信電力情報を前記端末装置より報告してもらう時間間隔を通信環境に基づいて可変にて設定するステップと、前記時間間隔にて報告される前記受信電力情報の受信電力が前記端末装置にて所定の品質にて受信可能な範囲である基地局装置を選択するステップと、前記端末装置に対して選択された前記基地局装置との接続を指示するステップと、を具備するようにした。
【００５７】
この方法によれば、端末装置における基地局装置毎の受信電力の情報である受信電力情報を端末装置より報告してもらう時間間隔を通信環境に基づいて可変にて設定するので、受信電力情報を受信する毎に行われる基地局装置を選択するか否かを判定する処理のタイミングを、通信環境に応じて制御することができる。これにより、ダイバーシチハンドオーバする際に無駄な制御を行うことがなくて制御負荷を軽減することができるとともに、移動局は所定の通信品質を満たすことができる基地局と確実に接続することができる。
【００５８】
本発明のハンドオーバ方法によれば、端末装置における受信信号が継続して所定の品質を満たす時間と比較する継続時間を通信環境に基づいて可変にて設定するステップと、前記端末装置における受信信号が継続して所定の品質を満たす時間が前記継続時間以上の前記基地局装置を選択するステップと、前記端末装置に対して選択された前記基地局装置との接続を指示するステップと、を具備するようにした。
【００５９】
この方法によれば、端末装置における受信信号が継続して所定の品質を満たす時間と比較する継続時間を通信環境に基づいて可変にて設定するので、基地局装置を選択することを決定するまでの時間を通信環境に応じて変えることができる。これにより、選択する必要のない基地局装置を不用意に選択してしまうことがないので、ダイバーシチハンドオーバする際に無駄な制御を行うことがなくて制御負荷を軽減することができるとともに、移動局は所定の通信品質を満たすことができる基地局と確実に接続することができる。
【発明の効果】
【００６０】
本発明によれば、ダイバーシチハンドオーバする際、制御負荷を軽減することができるとともに、移動局は所定の通信品質を満たすことができる基地局と確実に接続することができる。
【発明を実施するための最良の形態】
【００６１】
本発明の骨子は、端末装置が所定の品質にて受信可能な端末装置における受信電力の範囲（例えば、Ａｄｄｉｔｉｏｎ  ＷｉｎｄｏｗまたはＤｒｏｐ  Ｗｉｎｄｏｗ）、端末装置における基地局装置毎の受信電力の情報である受信電力情報を端末装置より報告してもらう時間間隔（例えば、ＨＯインターバル）または端末装置における受信信号が継続して所定の品質を満たす時間と比較する継続時間（例えば、Ｔｉｍｅ  ｔｏ  ｔｒｉｇｇｅｒ）を通信環境に基づいて可変にて設定し、端末装置における基地局装置毎の受信電力が、継続して設定された範囲内である時間が継続時間以上である基地局装置を選択することである。
【００６２】
以下、本発明の実施の形態について、図面を参照して詳細に説明する。
【００６３】
（実施の形態１）
図１は、本発明の実施の形態１に係る基地局装置１０８及び制御局装置１０９の構成を示すブロック図である。アンテナ１０１、共用器１０２、受信／復調部１０３、移動速度検出部１０４及び送信／変調部１０７は基地局装置１０８を構成している。また、ＨＯ制御パラメータ判定部１０５及び接続判定部１０６は制御局装置１０９を構成している。なお、制御局装置１０９は、基地局装置１０８の上位局である。また、制御局装置１０９は、複数の同一構成である基地局装置１０８と接続されるが、説明の都合上、図１においては１つの基地局装置１０８のみを示して他の基地局装置１０８の記載は省略する。
【００６４】
共用器１０２は、アンテナ１０１にて受信した受信信号を受信／復調部１０３へ出力するとともに、送信／変調部１０７から入力した送信信号をアンテナ１０１から送信する。
【００６５】
受信／復調部１０３は、共用器１０２から入力した受信信号を無線周波数からベースバンド周波数にダウンコンバートするとともに、復調して移動速度検出部１０４へ出力する。また、受信／復調部１０３は、ダウンコンバートした受信信号を復調して受信データとして出力する。
【００６６】
移動速度検出部１０４は、受信／復調部１０３から入力した受信信号より移動局の移動速度を検出し、検出した移動速度の情報である移動速度情報をＨＯ制御パラメータ判定部１０５へ出力する。
【００６７】
設定手段であるＨＯ制御パラメータ判定部１０５は、移動速度検出部１０４から入力した通信環境を示す移動速度情報に基づいてＨＯ制御パラメータを設定し、設定したＨＯ制御パラメータの情報であるＨＯ制御パラメータ情報を接続判定部１０６へ出力する。ここで、ＨＯ制御パラメータとは、ＨＯインターバル、Ｒｅｐｏｒｔｉｎｇ  Ｒａｎｇｅ、Ｈｙｓｔｅｒｅｓｉｓ、Ｔｉｍｅ  ｔｏ  ｔｒｉｇｇｅｒ等である。なお、ＨＯ制御パラメータを設定する方法については後述する。
【００６８】
接続判定部１０６は、受信／復調部１０３から入力した受信データに含まれるＭｅａｓｕｒｅｍｅｎｔ  Ｒｅｐｏｒｔ及びＨＯ制御パラメータ判定部１０５から入力したＨＯ制御パラメータ情報に基づいて、接続追加または接続削除の制御命令を生成する。そして、接続判定部１０６は、生成した制御命令を送信／変調部１０７へ出力する。
【００６９】
送信／変調部１０７は、接続判定部１０６から入力した制御命令を含む送信データを変調して変調信号を生成し、生成した変調信号をベースバンド周波数から無線周波数にアップコンバートして共用器１０２へ出力する。
【００７０】
次に、移動局の構成について、図２を用いて説明する。図２は、端末装置である移動局２００の構成を示すブロック図である。
【００７１】
共用器２０２は、アンテナ２０１にて受信した受信信号を受信／復調部２０３へ出力するとともに、送信／変調部２０７から入力した送信信号をアンテナ２０１から送信する。
【００７２】
受信／復調部２０３は、共用器２０２から入力した受信信号を無線周波数からベースバンド周波数にダウンコンバートするとともに、復調してレベル測定部２０４、ＨＯ判定部２０５及び接続制御部２０６へ出力する。また、受信／復調部２０３は、ダウンコンバートした受信信号を復調して受信データとして出力する。
【００７３】
レベル測定部２０４は、受信／復調部２０３から入力した例えば共通制御チャネルの受信信号より受信レベルを測定し、測定した受信レベルの情報である受信レベル情報をＨＯ判定部２０５へ出力する。
【００７４】
ＨＯ判定部２０５は、受信／復調部２０３から入力した受信データに含まれるＨＯ制御パラメータ情報及びレベル測定部２０４から入力した受信レベル情報に基づいて、Ｅｖｅｎｔを起動するか否かを判定する。そして、ＨＯ判定部２０５は、Ｅｖｅｎｔを起動すると判定した場合には、設定した周期とは無関係にレベル測定部２０４から入力した受信レベル情報をＭｅａｓｕｒｅｍｅｎｔ  Ｒｅｐｏｒｔとして送信／変調部２０７へ出力する。また、ＨＯ判定部２０５は、受信／復調部２０３から入力した受信データに含まれるＨＯ制御パラメータ情報に基づいて、Ｍｅａｓｕｒｅｍｅｎｔ  Ｒｅｐｏｒｔを送信する周期を設定する。そして、ＨＯ判定部２０５は、設定した周期にてレベル測定部２０４から入力した受信レベル情報をＭｅａｓｕｒｅｍｅｎｔ  Ｒｅｐｏｒｔとして送信／変調部２０７へ出力する。
【００７５】
接続制御部２０６は、受信／復調部２０３から入力した受信データに含まれる制御命令を参照して接続指示された基地局装置１０８と通信を開始するための制御信号を送信／変調部２０７へ出力する。
【００７６】
送信／変調部２０７は、ＨＯ判定部２０５から入力したＭｅａｓｕｒｅｍｅｎｔ  Ｒｅｐｏｒｔの情報及び接続制御部２０６から入力した制御信号を送信データに含めて変調して変調信号を生成し、生成した変調信号をベースバンド周波数から無線周波数にアップコンバートして共用器２０２へ出力する。また、送信／変調部２０７は、接続制御部２０６より基地局装置１０８を追加するように制御される場合には、追加する基地局装置１０８との通信を開始するために、追加する基地局装置１０８の周波数を設定し、接続制御部２０６より基地局装置１０８を削除するように制御された場合には、削除する基地局装置１０８との通信を解除するために、削除する基地局装置１０８の周波数の設定を解除する。
【００７７】
次に、基地局装置１０８、制御局装置１０９及び移動局２００の動作について説明する。最初に、制御局装置１０９は基地局装置１０８を選択する動作における機能が１つである場合で、かつ移動局２００が基地局装置１０８−１と接続している場合において新たに基地局装置１０８−２と接続して基地局装置１０８−２を追加する場合の動作を、図３〜図６を用いて説明する。図３は、基地局装置１０８−１、１０８−２、制御局装置１０９及び移動局２００の関係を示す模式図であり、図４は、基地局装置１０８、制御局装置１０９及び移動局２００の動作を示すシーケンス図であり、図５は、移動速度とＨＯ制御パラメータとを関係付けたＨＯ制御パラメータ設定用情報を示す図であり、図６は、移動局２００における各基地局装置の受信レベルの時間推移を示す図である。制御局装置１０９は、４つの基地局装置の内から最大３つの基地局装置を選択することが可能であるものとする（ＡＳの最大が３）。なお、図３及び図４において、２つの基地局装置１０８−１及び基地局装置１０８−２のみを示し、他の２つの基地局装置の記載は省略する。
【００７８】
最初に、移動局２００のレベル測定部２０４にて測定された受信レベルの情報である受信レベル情報をＭｅａｓｕｒｅｍｅｎｔ  Ｒｅｐｏｒｔとして、ＨＯ制御パラメータ情報に基づいて所定の周期にて基地局装置１０８−１へ送信する（ステップＳＴ４０１）。即ち、移動局２００は、図６において、時刻ｔ１、時刻ｔ６、時刻ｔ９にて周期的にＭｅａｓｕｒｅｍｅｎｔ  Ｒｅｐｏｒｔを送信する。また、移動局２００は、周期的に送信するＭｅａｓｕｒｅｍｅｎｔ  Ｒｅｐｏｒｔとは別に、各Ｅｖｅｎｔ起動時にもＭｅａｓｕｒｅｍｅｎｔ  Ｒｅｐｏｒｔを送信する。
【００７９】
次に、基地局装置１０８−１は、受信したＭｅａｓｕｒｅｍｅｎｔ  Ｒｅｐｏｒｔを制御局装置１０９へ出力する（ステップＳＴ４０２）。
【００８０】
次に、基地局装置１０８−１の移動速度検出部１０４にて移動局２００の移動速度を検出し、検出結果を制御局装置１０９へ報告する。
【００８１】
次に、制御局装置１０９は、ＨＯ制御パラメータ判定部１０５にて基地局装置１０８−１から報告された移動局２００の移動速度情報に基づいて、ＨＯ制御パラメータ判定部１０５にて図５に示す移動速度とＨＯ制御パラメータとを関係付けたＨＯ制御パラメータ設定用情報を参照することにより、Ｒｅｐｏｒｔｉｎｇ  Ｒａｎｇｅ、Ｈｙｓｔｅｒｅｓｉｓ、Ｔｉｍｅ  ｔｏ  ｔｒｉｇｇｅｒ等のＨＯ制御パラメータを設定する。
【００８２】
このように各Ｅｖｅｎｔの起動の条件を設定した後、例えば、図６に示すように、時刻ｔ２において、Ｐ−ＣＰＩＣＨ３を使用している基地局装置１０８−２の電力レベルがＲｅｐｏｒｔｉｎｇ  Ｒａｎｇｅ以上になることにより、制御局装置１０９は、時刻ｔ２から時刻ｔ４までＴｉｍｅ  ｔｏ  ｔｒｉｇｇｅｒの計測を開始する。しかし、基地局装置１０８−２は、時刻ｔ４よりも前の時刻ｔ３にて移動局２００の電力レベルがＲｅｐｏｒｔｉｎｇ  Ｒａｎｇｅ以下になってしまうため、この時点で制御局装置１０９はＥｖｅｎｔ１Ａを起動しない。
【００８３】
そして、再び時刻ｔ５にて、基地局装置１０８−２の電力レベルがＲｅｐｏｒｔｉｎｇ  Ｒａｎｇｅ以上になることにより、制御局装置１０９は、時刻ｔ５から時刻ｔ７までＴｉｍｅ  ｔｏ  ｔｒｉｇｇｅｒの計測を開始する。そして、時刻ｔ５から時刻ｔ７の間に移動局２００の電力レベルが一度もＲｅｐｏｒｔｉｎｇ  Ｒａｎｇｅ以下にならないことにより、時刻ｔ７にてＭｅａｓｕｒｅｍｅｎｔ  Ｒｅｐｏｒｔを送信するとともにＥｖｅｎｔ１Ａを起動することにより、接続判定部１０６は接続追加する基地局装置として基地局装置１０８−２を選択する。
【００８４】
次に、制御局装置１０９は、接続判定部１０６にて選択した基地局装置１０８−２に対して、移動局２００と接続するように要求するＲａｄｉｏ  Ｌｉｎｋ  Ａｄｄｉｔｉｏｎ  Ｒｅｑｕｅｓｔを出力する（ステップＳＴ４０３）。
【００８５】
次に、基地局装置１０８−２は、移動局２００と接続可能である否かの回答であるＲａｄｉｏ  Ｌｉｎｋ  Ａｄｄｉｔｉｏｎ  Ｒｅｓｐｏｎｓｅを制御局装置１０９へ返信する（ステップＳＴ４０４）。
【００８６】
次に、制御局装置１０９は、基地局装置１０８−２から返信されたＲａｄｉｏ  Ｌｉｎｋ  Ａｄｄｉｔｉｏｎ  Ｒｅｓｐｏｎｓｅが移動局２００と接続可能の回答である場合には、基地局装置１０８−２を接続追加する制御信号であるＡｃｔｉｖｅ  Ｓｅｔ  Ｕｐｄａｔｅを基地局装置１０８−１へ出力する（ステップＳＴ４０５）。
【００８７】
次に、基地局装置１０８−１は、基地局装置１０８−２を接続追加する制御信号であるＡｃｔｉｖｅ  Ｓｅｔ  Ｕｐｄａｔｅを移動局２００へ送信する（ステップＳＴ４０６）。
【００８８】
次に、移動局２００は、接続制御部２０６より基地局装置１０８−２を接続対象として追加する処理が完了した信号であるＡｃｔｉｖｅ  Ｓｅｔ  Ｕｐｄａｔｅ  Ｃｏｍｐｌｅｔｅを出力することにより、移動局２００より基地局装置１０８−１に対してＡｃｔｉｖｅ  Ｓｅｔ  Ｕｐｄａｔｅ  Ｃｏｍｐｌｅｔｅを送信する（ステップＳＴ４０７）。
【００８９】
次に、基地局装置１０８−１は、制御局装置１０９に対して、基地局装置１０８−２を接続対象として追加する処理が完了した信号であるＡｃｔｉｖｅ  Ｓｅｔ  Ｕｐｄａｔｅ  Ｃｏｍｐｌｅｔｅを送信する（ステップＳＴ４０８）。
【００９０】
次に、制御局装置１０９は基地局装置１０８を選択する動作における機能が１つである場合で、かつ移動局２００が基地局装置１０８−１及び基地局装置１０８−２と接続している場合において、基地局装置１０８−２との接続を解除して基地局装置１０８−２を削除する場合の動作を、図６及び図７を用いて説明する。図７は、基地局装置１０８、制御局装置１０９及び移動局２００の動作を示すシーケンス図である。制御局装置１０９は、４つの基地局装置の内から最大３つの基地局装置を選択することが可能であるものとする（ＡＳの最大が３）。
【００９１】
最初に、移動局２００のレベル測定部２０４にて測定された受信レベルの情報である受信レベル情報をＭｅａｓｕｒｅｍｅｎｔ  Ｒｅｐｏｒｔとして基地局装置１０８−１へ送信する（ステップＳＴ７０１）。即ち、移動局２００は、図６において、時刻ｔ１、時刻ｔ６、時刻ｔ９にて周期的にＭｅａｓｕｒｅｍｅｎｔ  Ｒｅｐｏｒｔを送信する。また、移動局２００は、周期的に送信するＭｅａｓｕｒｅｍｅｎｔ  Ｒｅｐｏｒｔとは別に、各Ｅｖｅｎｔ起動時にもＭｅａｓｕｒｅｍｅｎｔ  Ｒｅｐｏｒｔを送信する。
【００９２】
次に、基地局装置１０８−１は、受信したＭｅａｓｕｒｅｍｅｎｔ  Ｒｅｐｏｒｔを制御局装置１０９へ出力する（ステップＳＴ７０２）。
【００９３】
次に、基地局装置１０８−１の移動速度検出部１０４にて移動局２００の移動速度を検出し、検出結果を制御局装置１０９へ報告する。
【００９４】
次に、制御局装置１０９は、ＨＯ制御パラメータ判定部１０５にて各基地局装置から報告された移動局２００の移動速度情報に基づいて、ＨＯ制御パラメータ判定部１０５にて図４に示す移動速度とＨＯ制御パラメータとを関係付けたＨＯ制御パラメータ設定用情報を参照することにより、Ｒｅｐｏｒｔｉｎｇ  Ｒａｎｇｅ、Ｈｙｓｔｅｒｅｓｉｓ、Ｔｉｍｅ  ｔｏ  ｔｒｉｇｇｅｒ等のＨＯ制御パラメータを設定する。
【００９５】
このように各Ｅｖｅｎｔの起動の条件を設定した後、例えば、図６に示すように、時刻ｔ８において、Ｐ−ＣＰＩＣＨ３を使用している基地局装置１０８−２の電力レベルがＲｅｐｏｒｔｉｎｇ  Ｒａｎｇｅ未満になることにより、制御局装置１０９は、時刻ｔ８から時刻ｔ１０までＴｉｍｅ  ｔｏ  ｔｒｉｇｇｅｒの計測を開始する。そして、時刻ｔ８から時刻ｔ１０の間に移動局２００の電力レベルが一度もＲｅｐｏｒｔｉｎｇ  Ｒａｎｇｅ以上にならないことにより、時刻ｔ１０にてＭｅａｓｕｒｅｍｅｎｔ  Ｒｅｐｏｒｔを送信するとともにＥｖｅｎｔ１Ｂを起動することにより、接続判定部１０６は接続削除する基地局装置として基地局装置１０８−２を選択する。なお、時刻ｔ８から時刻ｔ１０の間に電力レベルがＲｅｐｏｒｔｉｎｇ  Ｒａｎｇｅ以上になる場合には、基地局装置１０８−２は接続削除する基地局装置として選択されない。
【００９６】
次に、制御局装置１０９は、基地局装置１０８−１に対して、接続判定部１０６にて削除対象として選択した基地局装置１０８−２との接続を解除する制御信号であるＡｃｔｉｖｅ  Ｓｅｔ  Ｕｐｄａｔｅを出力する（ステップＳＴ７０３）。
【００９７】
次に、基地局装置１０８−１は、移動局２００に対して、基地局装置１０８−２との接続を解除する制御信号であるＡｃｔｉｖｅ  Ｓｅｔ  Ｕｐｄａｔｅを送信する（ステップＳＴ７０４）。
【００９８】
次に、移動局２００は、接続制御部２０６より基地局装置１０８−２を削除対象として削除する処理が完了した信号であるＡｃｔｉｖｅ  Ｓｅｔ  Ｕｐｄａｔｅ  Ｃｏｍｐｌｅｔｅを出力することにより、移動局２００より基地局装置１０８−１に対してＡｃｔｉｖｅ  Ｓｅｔ  Ｕｐｄａｔｅ  Ｃｏｍｐｌｅｔｅを送信する（ステップＳＴ７０５）。
【００９９】
次に、基地局装置１０８−１は、制御局装置１０９に対して、移動局２００において基地局装置１０８−２を削除対象として削除する処理が完了した信号であるＡｃｔｉｖｅ  Ｓｅｔ  Ｕｐｄａｔｅ  Ｃｏｍｐｌｅｔｅを出力する（ステップＳＴ７０６）。
【０１００】
次に、制御局装置１０９は、接続判定部１０６にて選択した基地局装置１０８−２に対して、移動局２００との接続を解除するように要求するＲａｄｉｏ  Ｌｉｎｋ  Ｄｅｌｅｔｉｏｎ  Ｒｅｑｕｅｓｔを出力する（ステップＳＴ７０７）。
【０１０１】
次に、基地局装置１０８−２は、移動局２００との接続を解除可能である否かの回答であるＲａｄｉｏ  Ｌｉｎｋ  Ｄｅｌｅｔｉｏｎ  Ｒｅｓｐｏｎｓｅを制御局装置１０９へ返信する（ステップＳＴ７０８）。
【０１０２】
次に、制御局装置は基地局装置１０８−１、１０８−２を選択する動作における機能が２つである場合で、かつ移動局２００が基地局装置１０８−１と接続している場合において新たに基地局装置１０８−２と接続して基地局装置１０８−２を追加する場合の動作を、図６、図８及び図９を用いて説明する。図８は、基地局装置１０８−１、１０８−２、制御局装置１０９−１、１０９−２及び移動局２００の関係を示す模式図であり、図９は、基地局装置１０８−１、１０８−２、制御局装置１０９−１、１０９−２及び移動局２００の動作を示すシーケンス図である。制御局装置は、ＳＲＮＣ（Serving RNC）である制御局装置１０９−１及びＤＲＮＣ（Drift RNC）である制御局装置１０９−２の２つの機能を有するものであり、各制御局装置１０９−１、１０９−２は、４つの基地局装置の内から最大３つの基地局装置を選択することが可能であるものとする（ＡＳの最大が３）。なお、図８及び図９において、２つの基地局装置１０８−１及び基地局装置１０８−２のみを示し、他の２つの基地局装置の記載は省略する。
【０１０３】
最初に、移動局２００のレベル測定部２０４にて測定された受信レベルの情報である受信レベル情報をＭｅａｓｕｒｅｍｅｎｔ  Ｒｅｐｏｒｔとして基地局装置１０８−１へ送信する（ステップＳＴ９０１）。即ち、移動局２００は、図６において、時刻ｔ１、時刻ｔ６、時刻ｔ９にて周期的にＭｅａｓｕｒｅｍｅｎｔ  Ｒｅｐｏｒｔを送信する。また、移動局２００は、周期的に送信するＭｅａｓｕｒｅｍｅｎｔ  Ｒｅｐｏｒｔとは別に、各Ｅｖｅｎｔ起動時にもＭｅａｓｕｒｅｍｅｎｔ  Ｒｅｐｏｒｔを送信する。
【０１０４】
次に、基地局装置１０８−１は、制御局装置１０９−１に対して、Ｍｅａｓｕｒｅｍｅｎｔ  Ｒｅｐｏｒｔを出力する（ステップＳＴ９０２）。
【０１０５】
次に、基地局装置１０８−１の移動速度検出部１０４にて移動局２００の移動速度を検出し、検出結果を制御局装置１０９−１へ報告する。
【０１０６】
次に、制御局装置１０９−１は、ＨＯ制御パラメータ判定部１０５にて基地局装置１０８−１から報告された移動局２００の移動速度情報に基づいて、ＨＯ制御パラメータ判定部１０５にて図５に示す移動速度とＨＯ制御パラメータとを関係付けたＨＯ制御パラメータ設定用情報を参照することにより、Ｒｅｐｏｒｔｉｎｇ  Ｒａｎｇｅ、Ｈｙｓｔｅｒｅｓｉｓ、Ｔｉｍｅ  ｔｏ  ｔｒｉｇｇｅｒ等のＨＯ制御パラメータを設定する。
【０１０７】
このように各Ｅｖｅｎｔの起動の条件を設定した後、例えば、図６に示すように、時刻ｔ２において、Ｐ−ＣＰＩＣＨ３を使用している基地局装置１０８−２の電力レベルがＲｅｐｏｒｔｉｎｇ  Ｒａｎｇｅ以上になることにより、制御局装置１０９−１は、時刻ｔ２から時刻ｔ４までＴｉｍｅ  ｔｏ  ｔｒｉｇｇｅｒの計測を開始する。しかし、基地局装置１０８−２は、時刻ｔ４よりも前の時刻ｔ３にて移動局２００の電力レベルがＲｅｐｏｒｔｉｎｇ  Ｒａｎｇｅ以下になってしまうため、この時点で制御局装置１０９−１はＥｖｅｎｔ１Ａを起動しない。
【０１０８】
そして、再び時刻ｔ５にて、基地局装置１０８−２の電力レベルがＲｅｐｏｒｔｉｎｇ  Ｒａｎｇｅ以上になることにより、制御局装置１０９−１は、時刻ｔ５から時刻ｔ７までＴｉｍｅ  ｔｏ  ｔｒｉｇｇｅｒの計測を開始する。そして、時刻ｔ５から時刻ｔ７の間に移動局２００の電力レベルが一度もＲｅｐｏｒｔｉｎｇ  Ｒａｎｇｅ以下にならないことにより、時刻ｔ７にてＭｅａｓｕｒｅｍｅｎｔ  Ｒｅｐｏｒｔを送信するとともにＥｖｅｎｔ１Ａを起動することにより、接続判定部１０６は接続追加する基地局装置として基地局装置１０８−２を選択する。
【０１０９】
次に、制御局装置１０９−１は、制御局装置１０９−２に対して、接続判定部１０６にて選択した基地局装置１０８−２が移動局２００と接続するように要求するＲａｄｉｏ  Ｌｉｎｋ  Ａｄｄｉｔｉｏｎ  Ｒｅｑｕｅｓｔを出力する（ステップＳＴ９０３）。
【０１１０】
次に、制御局装置１０９−２は、制御局装置１０９−１にて選択された基地局装置１０８−２に対して、移動局２００と接続するように要求するＲａｄｉｏ  Ｌｉｎｋ  Ａｄｄｉｔｉｏｎ  Ｒｅｑｕｅｓｔを出力する（ステップＳＴ９０４）。
【０１１１】
次に、基地局装置１０８−２は、移動局２００と接続可能である否かの回答であるＲａｄｉｏ  Ｌｉｎｋ  Ａｄｄｉｔｉｏｎ  Ｒｅｓｐｏｎｓｅを制御局装置１０９−２へ返信する（ステップＳＴ９０５）。
【０１１２】
次に、制御局装置１０９−２は、基地局装置１０８−２が移動局２００と接続可能であるか否かの回答であるＲａｄｉｏ  Ｌｉｎｋ  Ａｄｄｉｔｉｏｎ  Ｒｅｓｐｏｎｓｅを制御局装置１０９−１へ返信する（ステップＳＴ９０６）。
【０１１３】
次に、制御局装置１０９−１は、基地局装置１０８−２から返信されたＲａｄｉｏ  Ｌｉｎｋ  Ａｄｄｉｔｉｏｎ  Ｒｅｓｐｏｎｓｅが移動局２００と接続可能の回答である場合には、基地局装置１０８−２を接続追加する制御信号であるＡｃｔｉｖｅ  Ｓｅｔ  Ｕｐｄａｔｅを基地局装置１０８−１へ送信する（ステップＳＴ９０７）。
【０１１４】
次に、基地局装置１０８−１は、移動局２００に対して、基地局装置１０８−２を接続追加する制御信号であるＡｃｔｉｖｅ  Ｓｅｔ  Ｕｐｄａｔｅを送信する（ステップＳＴ９０８）。
【０１１５】
次に、移動局２００は、接続制御部２０６より基地局装置１０８−２を接続対象として追加する処理が完了した信号であるＡｃｔｉｖｅ  Ｓｅｔ  Ｕｐｄａｔｅ  Ｃｏｍｐｌｅｔｅを出力することにより、移動局２００より基地局装置１０８−１に対してＡｃｔｉｖｅ  Ｓｅｔ  Ｕｐｄａｔｅ  Ｃｏｍｐｌｅｔｅを送信する（ステップＳＴ９０９）。
【０１１６】
次に、制御局装置は基地局装置１０８−１、１０８−２を選択する動作における機能が２つである場合で、かつ移動局２００が基地局装置１０８−１及び基地局装置１０８−２と接続している場合において基地局装置１０８−２との接続を解除する場合の動作を、図６及び図１０を用いて説明する。図１０は、基地局装置１０８、制御局装置１０９及び移動局２００の動作を示すシーケンス図である。制御局装置１０９−１、１０９−２は、４つの基地局装置の内から最大３つの基地局装置を選択することが可能であるものとする（ＡＳの最大が３）。
【０１１７】
最初に、移動局２００のレベル測定部２０４にて測定された受信レベルの情報である受信レベル情報をＭｅａｓｕｒｅｍｅｎｔ  Ｒｅｐｏｒｔとして基地局装置１０８−１へ送信する（ステップＳＴ１００１）。即ち、移動局２００は、図６において、時刻ｔ１、時刻ｔ６、時刻ｔ９にて周期的にＭｅａｓｕｒｅｍｅｎｔ  Ｒｅｐｏｒｔを送信する。また、移動局２００は、周期的に送信するＭｅａｓｕｒｅｍｅｎｔ  Ｒｅｐｏｒｔとは別に、各Ｅｖｅｎｔ起動時にもＭｅａｓｕｒｅｍｅｎｔ  Ｒｅｐｏｒｔを送信する。
【０１１８】
次に、基地局装置１０８−１は、Ｍｅａｓｕｒｅｍｅｎｔ  Ｒｅｐｏｒｔを制御局装置１０９−１へ出力する（ステップＳＴ１００２）。
【０１１９】
次に、基地局装置１０８−１の移動速度検出部１０４にて移動局２００の移動速度を検出し、検出結果を制御局装置１０９へ報告する。
【０１２０】
次に、制御局装置１０９は、ＨＯ制御パラメータ判定部１０５にて基地局装置１０８−１から報告された移動局２００の移動速度情報に基づいて、ＨＯ制御パラメータ判定部１０５にて図４に示す移動速度とＨＯ制御パラメータとを関係付けたＨＯ制御パラメータ設定用情報を参照することにより、Ｒｅｐｏｒｔｉｎｇ  Ｒａｎｇｅ、Ｈｙｓｔｅｒｅｓｉｓ、Ｔｉｍｅ  ｔｏ  ｔｒｉｇｇｅｒ等のＨＯ制御パラメータを設定する。
【０１２１】
このように各Ｅｖｅｎｔの起動の条件を設定した後、例えば、図６に示すように、時刻ｔ８において、Ｐ−ＣＰＩＣＨ３を使用している基地局装置１０８−２の電力レベルがＲｅｐｏｒｔｉｎｇ  Ｒａｎｇｅ未満になることにより、制御局装置１０９は、時刻ｔ８から時刻ｔ１０までＴｉｍｅ  ｔｏ  ｔｒｉｇｇｅｒの計測を開始する。そして、時刻ｔ８から時刻ｔ１０の間に移動局２００の電力レベルが一度もＲｅｐｏｒｔｉｎｇ  Ｒａｎｇｅ以上にならないことにより、時刻ｔ１０にてＭｅａｓｕｒｅｍｅｎｔ  Ｒｅｐｏｒｔを送信するとともにＥｖｅｎｔ１Ｂを起動することにより、接続判定部１０６は接続削除する基地局装置として基地局装置１０８−２を選択する。なお、時刻ｔ８から時刻ｔ１０の間に電力レベルがＲｅｐｏｒｔｉｎｇ  Ｒａｎｇｅ以上になる場合には、基地局装置１０８−２は接続削除する基地局装置として選択されない。
【０１２２】
次に、制御局装置１０９−１は、基地局装置１０８−１に対して、接続判定部１０６にて削除対象として選択した基地局装置１０８−２との接続を解除する制御信号であるＡｃｔｉｖｅ  Ｓｅｔ  Ｕｐｄａｔｅを出力する（ステップＳＴ１００３）。
【０１２３】
次に、基地局装置１０８−１は、移動局２００に対して、削除対象として選択した基地局装置１０８−２との接続を解除する制御信号であるＡｃｔｉｖｅ  Ｓｅｔ  Ｕｐｄａｔｅを送信する（ステップＳＴ１００４）。
【０１２４】
次に、移動局２００は、接続制御部２０６より基地局装置１０８−２を接続対象として追加する処理が完了した信号であるＡｃｔｉｖｅ  Ｓｅｔ  Ｕｐｄａｔｅ  Ｃｏｍｐｌｅｔｅを出力することにより、移動局２００より基地局装置１０８−１に対してＡｃｔｉｖｅ  Ｓｅｔ  Ｕｐｄａｔｅ  Ｃｏｍｐｌｅｔｅを送信する（ステップＳＴ１００５）。
【０１２５】
次に、基地局装置１０８−１は、制御局装置１０９−１に対して、移動局２００が基地局装置１０８−２を削除対象として削除する処理が完了した信号であるＡｃｔｉｖｅ  Ｓｅｔ  Ｕｐｄａｔｅ  Ｃｏｍｐｌｅｔｅを出力する（ステップＳＴ１００６）。
【０１２６】
次に、制御局装置１０９−１は、制御局装置１０９−２に対して、移動局２００が接続判定部１０６にて選択した基地局装置１０８−２との接続を解除するように要求するＲａｄｉｏ  Ｌｉｎｋ  Ｄｅｌｅｔｉｏｎ  Ｒｅｑｕｅｓｔを出力する（ステップＳＴ１００７）。
【０１２７】
次に、制御局装置１０９−２は、基地局装置１０８−２に対して、移動局２００が接続判定部１０６にて選択した基地局装置１０８−２との接続を解除するように要求するＲａｄｉｏ  Ｌｉｎｋ  Ｄｅｌｅｔｉｏｎ  Ｒｅｑｕｅｓｔを出力する（ステップＳＴ１００８）。
【０１２８】
次に、基地局装置１０８−２は、移動局２００との接続を解除可能である否かの回答であるＲａｄｉｏ  Ｌｉｎｋ  Ｄｅｌｅｔｉｏｎ  Ｒｅｓｐｏｎｓｅを制御局装置１０９−２へ返信する（ステップＳＴ１００９）。
【０１２９】
次に、制御局装置１０９−２は、制御局装置１０９−１に対して、基地局装置１０８−２が移動局２００との接続を解除可能である否かの回答であるＲａｄｉｏ  Ｌｉｎｋ  Ｄｅｌｅｔｉｏｎ  Ｒｅｓｐｏｎｓｅを出力する（ステップＳＴ１０１０）。
【０１３０】
図１１は、図１２に比べて移動速度が遅い場合に設定されたＨＯ制御パラメータを示すものである。一般に移動速度が速くなるほど伝搬変動が大きくなる。したがって、図１１及び図１２より、移動速度が遅くなるほどＲｅｐｏｒｔｉｎｇ  Ｒａｎｇｅを大きくするとともにＴｉｍｅ  ｔｏ  ｔｒｉｇｇｅｒを長くし、さらにＨＯインターバルを長くする。一方、移動速度が速くなるほどＲｅｐｏｒｔｉｎｇ  Ｒａｎｇｅを小さくするとともにＴｉｍｅ  ｔｏ  ｔｒｉｇｇｅｒを短くし、さらにＨＯインターバルを短くする。
【０１３１】
このように、本実施の形態１によれば、端末装置の移動速度に応じてＨＯ制御パラメータを可変にするので、ダイバーシチハンドオーバする際、制御負荷を軽減することができるとともに、移動局は所定の通信品質を満たすことができる基地局と確実に接続することができる。また、本実施の形態１によれば、移動速度が大きくなるほどＲｅｐｏｒｔｉｎｇ  Ｒａｎｇｅを小さくするので、Ａｄｄｉｔｉｏｎ  Ｗｉｎｄｏｗ内に入って接続追加対象となる基地局装置及びＤｒｏｐ  Ｗｉｎｄｏｗ外に出て接続対象及び削除対象となる基地局装置を減らすことができる。また、本実施の形態１によれば、移動速度が大きくなるほどＴｉｍｅ  ｔｏ  ｔｒｉｇｇｅｒ及びＨＯインターバルを長くするので、基地局装置の追加処理及び削除処理の回数を少なくして処理負荷を軽減することができる。
【０１３２】
なお、本実施の形態１において、ＨＯ制御パラメータ判定部１０５及び接続判定部１０６は制御局装置１０９に設けることとしたが、これに限らず、ＨＯ制御パラメータ判定部１０５及び接続判定部１０６は基地局装置１０８に設けても良い。
【０１３３】
（実施の形態２）
図１３は、本発明の実施の形態２に係る基地局装置１３０２及び制御局装置１３０３の構成を示すブロック図である。アンテナ１０１、共用器１０２、受信／復調部１０３及び送信／変調部１０７は基地局装置１３０２を構成している。また、ＨＯ制御パラメータ判定部１０５、接続判定部１０６及び環境検出部１３０１は制御局装置１３０３を構成している。なお、制御局装置１３０３は、基地局装置１３０２の上位局である。また、制御局装置１３０３は、複数の同一構成である基地局装置１３０２と接続されるが、説明の都合上、図１３においては１つの基地局装置１３０２のみを示して他の基地局装置１３０２の記載は省略する。
【０１３４】
本実施の形態２に係る基地局装置１３０２及び制御局装置１３０３は、図１に示す実施の形態１に係る基地局装置１０８及び制御局装置１０９において、図１３に示すように、移動速度検出部１０４を除き、環境検出部１３０１を追加する。なお、図１３においては、図１と同一構成である部分には同一の符号を付してその説明は省略する。また、移動局の構成は図２と同一構成であるので、その説明は省略する。
【０１３５】
環境検出部１３０１は、通信環境が都会であるのかまたは田舎であるのかを判定するものであり、受信／復調部１０３から入力した受信データより、通信環境を示す伝搬損失が大きいほどビル等の高層建築物が多い都会であると判断し、伝搬損失が小さいほど高層建築物が少ない田舎であると判断する。そして、環境検出部１３０１は判断結果をＨＯ制御パラメータ判定部１０５へ出力する。
【０１３６】
ＨＯ制御パラメータ判定部１０５は、環境検出部１３０１から入力した判断結果に基づいてＨＯ制御パラメータを設定し、設定したＨＯ制御パラメータの情報であるＨＯ制御パラメータ情報を接続判定部１０６へ出力する。
【０１３７】
図１１は、図１２に比べて通信環境が都会である場合に設定されたＨＯ制御パラメータを示すものである。一般に通信環境が都会になるほどビル等の障害物による影響が大きくなって伝搬損失が大きくなる。したがって、図１１及び図１２より、通信環境が都会になるほどＲｅｐｏｒｔｉｎｇ  Ｒａｎｇｅを大きくするとともにＴｉｍｅ  ｔｏ  ｔｒｉｇｇｅｒを長くし、さらにＨＯインターバルを短くする。一方、通信環境が田舎になるほどＲｅｐｏｒｔｉｎｇ  Ｒａｎｇｅを小さくするとともにＴｉｍｅ  ｔｏ  ｔｒｉｇｇｅｒを短くし、さらにＨＯインターバルを長くする。なお、移動局、基地局装置１３０２及び制御局装置１３０３の動作は図４、図６〜図１０と同一であるのでその説明は省略する。
【０１３８】
このように、本実施の形態２によれば、通信環境に応じてＨＯ制御パラメータを可変にするので、ダイバーシチハンドオーバする際、制御負荷を軽減することができるとともに、移動局は所定の通信品質を満たすことができる基地局と確実に接続することができる。また、本実施の形態２によれば、通信環境が都会になるほどＲｅｐｏｒｔｉｎｇ  Ｒａｎｇｅを大きくするので、Ａｄｄｉｔｉｏｎ  Ｗｉｎｄｏｗ内に入って接続追加対象となる基地局装置を増やすことができる。また、本実施の形態２によれば、通信環境が都会になるほどＴｉｍｅ  ｔｏ  ｔｒｉｇｇｅｒを長くするので、基地局装置の追加処理及び削除処理の回数を少なくして処理負荷を軽減することができる。また、本実施の形態２によれば、通信環境が都会になるほどＨＯインターバルを短くするので、Ｍｅａｓｕｒｅｍｅｎｔ  Ｒｅｐｏｒｔを受信する毎に行われる基地局装置の追加及び削除を判定する処理の回数を多くすることができることにより、追加及び削除される基地局装置の候補を増やすことができる。
【０１３９】
なお、本実施の形態２において、ＨＯ制御パラメータ判定部１０５、接続判定部１０６及び環境検出部１３０１は制御局装置１３０３に設けることとしたが、これに限らず、ＨＯ制御パラメータ判定部１０５、接続判定部１０６及び環境検出部１３０１は基地局装置１３０２に設けても良い。また、本実施の形態２において、伝搬損失に基づいて都会と田舎とを判定することとしたが、これに限らず、異なる時刻間の電界強度差に基づいて都会と田舎とを判断する等、都会と田舎とで異なる値になる任意のパラメータを用いることが可能である。
【０１４０】
（実施の形態３）
図１４は、本発明の実施の形態３に係る基地局装置１４０２及び制御局装置１４０３の構成を示すブロック図である。アンテナ１０１、共用器１０２、受信／復調部１０３及び送信／変調部１０７は基地局装置１４０２を構成している。また、ＨＯ制御パラメータ判定部１０５、接続判定部１０６及び環境条件入力部１４０１は制御局装置１４０３を構成している。なお、制御局装置１４０３は、基地局装置１４０２の上位局である。また、制御局装置１４０３は、複数の同一構成である基地局装置１４０２と接続されるが、説明の都合上、図１４においては１つの基地局装置１４０２のみを示して他の基地局装置１４０２の記載は省略する。
【０１４１】
本実施の形態３に係る基地局装置１４０２及び制御局装置１４０３は、図１に示す実施の形態１に係る基地局装置１０８及び制御局装置１０９において、図１４に示すように、移動速度検出部１０４を除き、環境条件入力部１４０１を追加する。なお、図１４においては、図１と同一構成である部分には同一の符号を付してその説明は省略する。また、移動局の構成は図２と同一構成であるので、その説明は省略する。
【０１４２】
環境条件入力部１４０１は、都会から田舎までの通信環境のモードをあらかじめ段階的に設定しており、ユーザがモードを選択することにより、ユーザが選択したモードの情報をＨＯ制御パラメータ判定部１０５へ出力する。
【０１４３】
ＨＯ制御パラメータ判定部１０５は、環境条件入力部１４０１から入力した通信環境が都会であるかまたは通信環境が田舎であるかのモードの情報に基づいてＨＯ制御パラメータを設定し、設定したＨＯ制御パラメータの情報であるＨＯ制御パラメータ情報を接続判定部１０６へ出力する。
【０１４４】
図１１は、図１２に比べて通信環境が都会である場合に設定されたＨＯ制御パラメータを示すものである。一般に通信環境が都会になるほどビル等の障害物による影響が大きくなって伝搬損失が大きくなる。したがって、図１１及び図１２より、通信環境が都会になるほどＲｅｐｏｒｔｉｎｇ  Ｒａｎｇｅを大きくするとともにＴｉｍｅ  ｔｏ  ｔｒｉｇｇｅｒを長くし、さらにＨＯインターバルを短くする。一方、通信環境が田舎になるほどＲｅｐｏｒｔｉｎｇ  Ｒａｎｇｅを小さくするとともにＴｉｍｅ  ｔｏ  ｔｒｉｇｇｅｒを短くし、さらにＨＯインターバルを長くする。なお、移動局、基地局装置１４０２及び制御局装置１４０３の動作は図４、図６〜図１０と同一であるのでその説明は省略する。
【０１４５】
このように、本実施の形態３によれば、通信環境に応じてＨＯ制御パラメータを可変にするので、ダイバーシチハンドオーバする際、制御負荷を軽減することができるとともに、移動局は所定の通信品質を満たすことができる基地局と確実に接続することができる。また、本実施の形態３によれば、将来的に通信環境が田舎から都会に変わった場合に、キー入力等の外部からの操作により簡単な方法にて通信環境の設定を変えることができる。また、本実施の形態３によれば、ユーザの選択するモードが都会であるほどＲｅｐｏｒｔｉｎｇ  Ｒａｎｇｅを大きくするので、Ａｄｄｉｔｉｏｎ  Ｗｉｎｄｏｗ内に入って接続追加対象となる基地局装置を増やすことができる。また、本実施の形態３によれば、ユーザの選択するモードが都会であるほどＴｉｍｅ  ｔｏ  ｔｒｉｇｇｅｒを長くするので、基地局装置の追加処理及び削除処理の回数を少なくして処理負荷を軽減することができる。また、本実施の形態３によれば、ユーザの選択するモードが都会であるほどＨＯインターバルを短くするので、Ｍｅａｓｕｒｅｍｅｎｔ  Ｒｅｐｏｒｔを受信する毎に行われる基地局装置の追加及び削除を判定する処理の回数を多くすることができることにより、追加及び削除される基地局装置の候補を増やすことができる。
【０１４６】
なお、本実施の形態３において、ＨＯ制御パラメータ判定部１０５、接続判定部１０６及び環境条件入力部１４０１は制御局装置１４０３に設けることとしたが、これに限らず、ＨＯ制御パラメータ判定部１０５、接続判定部１０６及び環境条件入力部１４０１は基地局装置１４０２に設けても良い。また、本実施の形態３において、通信環境が都会であるかまたは田舎であるかをキー入力により切り替えることとしたが、これに限らず、キー以外の任意の入力方法により切り替えることが可能である。
【０１４７】
（実施の形態４）
図１５は、本発明の実施の形態４に係る基地局装置１５０３及び制御局装置１５０４の構成を示すブロック図である。アンテナ１０１、共用器１０２、受信／復調部１０３、送信／変調部１０７、遅延プロファイル生成部１５０１及びパス検出部１５０２は基地局装置１５０３を構成している。また、ＨＯ制御パラメータ判定部１０５及び接続判定部１０６は制御局装置１５０４を構成している。なお、制御局装置１５０４は、基地局装置１５０３の上位局である。また、制御局装置１５０４は、複数の同一構成である基地局装置１５０４と接続されるが、説明の都合上、図１５においては１つの基地局装置１５０３のみを示して他の基地局装置１５０３の記載は省略する。
【０１４８】
本実施の形態４に係る基地局装置１５０３及び制御局装置１５０４は、図１に示す実施の形態１に係る基地局装置１０８及び制御局装置１０９において、図１５に示すように、移動速度検出部１０４を除き、遅延プロファイル生成部１５０１及びパス検出部１５０２を追加する。なお、図１５においては、図１と同一構成である部分には同一の符号を付してその説明は省略する。また、移動局の構成は図２と同一構成であるので、その説明は省略する。
【０１４９】
遅延プロファイル生成部１５０１は、受信／復調部１０３から入力した受信データより遅延プロファイルを生成してパス検出部１５０２へ出力する。
【０１５０】
パス検出部１５０２は、遅延プロファイル生成部１５０１から入力した遅延プロファイルの情報より受信レベルが所定値以上であるパスの数を検出し、検出したパスの数の情報であるパス情報をＨＯ制御パラメータ判定部１０５へ出力する。
【０１５１】
ＨＯ制御パラメータ判定部１０５は、パス検出部１５０２から入力した通信環境を示すパス情報に基づいてＨＯ制御パラメータを設定し、設定したＨＯ制御パラメータの情報であるＨＯ制御パラメータ情報を接続判定部１０６へ出力する。
【０１５２】
図１１は、図１２に比べて検出されたパス数が少ない場合に設定されたＨＯ制御パラメータを示すものである。一般にパス数が多くなるほどマルチパス干渉の影響が大きくなる。したがって、図１１及び図１２より、検出されたパス数が多くなるほどＲｅｐｏｒｔｉｎｇ  Ｒａｎｇｅを小さくするとともにＴｉｍｅ  ｔｏ  ｔｒｉｇｇｅｒを短くし、さらにＨＯインターバルを短くする。一方、検出されたパス数が多くなるほどＲｅｐｏｒｔｉｎｇ  Ｒａｎｇｅを大きくするとともにＴｉｍｅ  ｔｏ  ｔｒｉｇｇｅｒを長くし、さらにＨＯインターバルを長くする。なお、移動局、基地局装置１５０３及び制御局装置１５０４の動作は図４、図６〜図１０と同一であるのでその説明は省略する。
【０１５３】
このように、本実施の形態４によれば、検出されたパス数に応じてＨＯ制御パラメータを可変にするので、ダイバーシチハンドオーバする際、制御負荷を軽減することができるとともに、移動局は所定の通信品質を満たすことができる基地局と確実に接続することができる。また、本実施の形態４によれば、マルチパス干渉が大きくなるほどＲｅｐｏｒｔｉｎｇ  Ｒａｎｇｅを小さくするので、Ａｄｄｉｔｉｏｎ  Ｗｉｎｄｏｗ内に入って接続追加対象となる基地局装置を減らすことができ、マルチパス干渉が小さくなるほどＲｅｐｏｒｔｉｎｇ  Ｒａｎｇｅを大きくするので、Ａｄｄｉｔｉｏｎ  Ｗｉｎｄｏｗ内に入って接続追加対象となる基地局装置を増加させることができる。また、本実施の形態４によれば、マルチパス干渉が大きくなるほどＴｉｍｅ  ｔｏ  ｔｒｉｇｇｅｒを小さくするとともにＨＯインターバルを小さくするので、基地局装置の追加及び削除の判定時間を短くするとともにＭｅａｓｕｒｅｍｅｎｔ  Ｒｅｐｏｒｔを受信する毎に行われる基地局装置の追加及び削除を判定する処理の回数を多くすることにより、最適な数の最適な基地局装置と即時に接続することができる。
【０１５４】
なお、本実施の形態４において、検出されたパス数が多くなるほどＲｅｐｏｒｔｉｎｇ  Ｒａｎｇｅを小さくするとともにＴｉｍｅ  ｔｏ  ｔｒｉｇｇｅｒを短くし、さらにＨＯインターバルを短くすることとしたが、これに限らず、通信環境に応じて検出されたパス数が多くなるほどＲｅｐｏｒｔｉｎｇ  Ｒａｎｇｅを大きくするとともにＴｉｍｅ  ｔｏ  ｔｒｉｇｇｅｒを長くし、さらにＨＯインターバルを長くするようにしても良い。また、本実施の形態４において、ＨＯ制御パラメータ判定部１０５及び接続判定部１０６は制御局装置１５０４に設けることとしたが、これに限らず、ＨＯ制御パラメータ判定部１０５及び接続判定部１０６は基地局装置１５０３に設けても良い。
【０１５５】
（実施の形態５）
図１６は、本発明の実施の形態５に係る基地局装置１６０２及び制御局装置１６０３の構成を示すブロック図である。アンテナ１０１、共用器１０２、受信／復調部１０３及び送信／変調部１０７は基地局装置１６０２を構成している。また、ＨＯ制御パラメータ判定部１０５、接続判定部１０６及びリソース検出部１６０１は制御局装置１６０３を構成している。なお、制御局装置１６０３は、基地局装置１６０２の上位局である。また、制御局装置１６０３は、複数の同一構成である基地局装置１６０２と接続されるが、説明の都合上、図１６においては１つの基地局装置１６０２のみを示して他の基地局装置１６０２の記載は省略する。
【０１５６】
本実施の形態５に係る基地局装置１６０２及び制御局装置１６０３は、図１に示す実施の形態１に係る基地局装置１０８及び制御局装置１０９において、図１６に示すように、移動速度検出部１０４を除き、リソース検出部１６０１を追加する。なお、図１６においては、図１と同一構成である部分には同一の符号を付してその説明は省略する。また、移動局の構成は図２と同一構成であるので、その説明は省略する。
【０１５７】
リソース検出部１６０１は、受信／復調部１０３から入力した受信データよりリソース数（ユーザ数）を検出し、検出したリソース数の情報であるリソース数情報をＨＯ制御パラメータ判定部１０５へ出力する。
【０１５８】
ＨＯ制御パラメータ判定部１０５は、リソース検出部１６０１から入力した通信環境を示すリソース数情報に基づいてＨＯ制御パラメータを設定し、設定したＨＯ制御パラメータの情報であるＨＯ制御パラメータ情報を接続判定部１０６へ出力する。
【０１５９】
リソースを電力と定義した場合において、図１１は、図１２に比べてリソース数が大きい場合に設定されたＨＯ制御パラメータを示すものである。図１１及び図１２より、リソース数が少なくなるほどＲｅｐｏｒｔｉｎｇ  Ｒａｎｇｅを小さくするとともにＴｉｍｅ  ｔｏ  ｔｒｉｇｇｅｒを短くし、さらにＨＯインターバルを短くする。一方、リソース数が多くなるほどＲｅｐｏｒｔｉｎｇ  Ｒａｎｇｅを大きくするとともにＴｉｍｅ  ｔｏ  ｔｒｉｇｇｅｒを長くし、さらにＨＯインターバルを長くする。なお、移動局、基地局装置１６０２及び制御局装置１６０３の動作は図４、図６〜図１０と同一であるのでその説明は省略する。
【０１６０】
このように、本実施の形態５によれば、リソース数に応じてＨＯ制御パラメータを可変にするので、ダイバーシチハンドオーバする際、制御負荷を軽減することができるとともに、移動局は所定の通信品質を満たすことができる基地局と確実に接続することができる。また、本実施の形態５によれば、リソースが少ない場合にはＲｅｐｏｒｔｉｎｇ  Ｒａｎｇｅを小さくするので、Ａｄｄｉｔｉｏｎ  Ｗｉｎｄｏｗ内に入って接続追加対象となる基地局装置を減らすことができ、リソースを使い切ってしまうことを防ぐことができる。また、本実施の形態５によれば、リソースが少ない場合にＴｉｍｅ  ｔｏ  ｔｒｉｇｇｅｒを小さくするとともにＨＯインターバルを小さくするので、基地局装置の追加及び削除の判定時間を短くするとともにＭｅａｓｕｒｅｍｅｎｔ  Ｒｅｐｏｒｔを受信する毎に行われる基地局装置の追加及び削除を判定する処理の回数を多くすることにより、最適な基地局装置と即時に接続することができ、リソースが少ない場合において、最小限の数の基地局装置と効率良く接続することができる。
【０１６１】
なお、本実施の形態５において、リソース数が少なくなるほどＲｅｐｏｒｔｉｎｇ  Ｒａｎｇｅを小さくするとともにＴｉｍｅ  ｔｏ  ｔｒｉｇｇｅｒを短くし、さらにＨＯインターバルを短くすることとしたが、これに限らず、通信環境に応じてリスース数が少なくなるほどＲｅｐｏｒｔｉｎｇ  Ｒａｎｇｅを大きくするとともにＴｉｍｅ  ｔｏ  ｔｒｉｇｇｅｒを長くし、さらにＨＯインターバルを長くするようにしても良い。また、本実施の形態５において、ＨＯ制御パラメータ判定部１０５、接続判定部１０６及びリソース検出部１６０１は制御局装置１６０３に設けることとしたが、これに限らず、ＨＯ制御パラメータ判定部１０５、接続判定部１０６及びリソース検出部１６０１は基地局装置１６０２に設けても良い。
【０１６２】
（実施の形態６）
図１７は、本発明の実施の形態６に係る基地局装置１７０２及び制御局装置１７０３の構成を示すブロック図である。アンテナ１０１、共用器１０２、受信／復調部１０３及び送信／変調部１０７は基地局装置１７０２を構成している。また、ＨＯ制御パラメータ判定部１０５、接続判定部１０６及び通信品質検出部１７０１は制御局装置１７０３を構成している。なお、制御局装置１７０３は、基地局装置１７０２の上位局である。また、制御局装置１７０３は、複数の同一構成である基地局装置１７０２と接続されるが、説明の都合上、図１７においては１つの基地局装置１７０２のみを示して他の基地局装置１７０２の記載は省略する。
【０１６３】
本実施の形態６に係る基地局装置１７０２及び制御局装置１７０３は、図１に示す実施の形態１に係る基地局装置１０８及び制御局装置１０９において、図１７に示すように、移動速度検出部１０４を除き、通信品質検出部１７０１を追加する。なお、図１７においては、図１と同一構成である部分には同一の符号を付してその説明は省略する。また、移動局の構成は図２と同一構成であるので、その説明は省略する。
【０１６４】
通信品質検出部１７０１は、受信／復調部１０３から入力した受信データより通信品質を示す測定値を検出し、検出した測定値の情報である通信品質情報をＨＯ制御パラメータ判定部１０５へ出力する。通信品質情報は、希望波電力対干渉波電力比（ＳＩＲ）、干渉電力値等を用いることが可能である。
【０１６５】
ＨＯ制御パラメータ判定部１０５は、通信品質検出部１７０１から入力した通信環境を示す通信品質情報に基づいてＨＯ制御パラメータを設定し、設定したＨＯ制御パラメータの情報であるＨＯ制御パラメータ情報を接続判定部１０６へ出力する。
【０１６６】
図１１は、図１２に比べて検出された通信品質が劣化している場合に設定されたＨＯ制御パラメータを示すものである。図１１及び図１２より、通信品質が劣化するほどＲｅｐｏｒｔｉｎｇ  Ｒａｎｇｅを大きくするとともにＴｉｍｅ  ｔｏ  ｔｒｉｇｇｅｒを短くし、さらにＨＯインターバルを短くする。一方、通信品質が良好になるほどＲｅｐｏｒｔｉｎｇ  Ｒａｎｇｅを小さくするとともにＴｉｍｅ  ｔｏ  ｔｒｉｇｇｅｒを短くし、さらにＨＯインターバルを長くする。なお、移動局、基地局装置１７０２及び制御局装置１７０３の動作は図４、図６〜図１０と同一であるのでその説明は省略する。
【０１６７】
このように、本実施の形態６によれば、通信品質に応じてＨＯ制御パラメータを可変にするので、ダイバーシチハンドオーバする際、制御負荷を軽減することができるとともに、移動局は所定の通信品質を満たすことができる基地局と確実に接続することができる。また、本実施の形態６によれば、通信品質が劣化するほどＲｅｐｏｒｔｉｎｇ  Ｒａｎｇｅを大きくするので、Ａｄｄｉｔｉｏｎ  Ｗｉｎｄｏｗ内に入って接続追加対象となる基地局装置を増やして通信品質を改善することができる。また、本実施の形態６によれば、通信品質が劣化するほどＴｉｍｅ  ｔｏ  ｔｒｉｇｇｅｒを小さくするので、基地局装置の追加及び削除の判定時間を小さくすることにより、最適な基地局装置と即時に接続することができる。また、本実施の形態６によれば、通信品質が劣化するほどＨＯインターバルを小さくするので、Ｍｅａｓｕｒｅｍｅｎｔ  Ｒｅｐｏｒｔを受信する毎に行われる基地局装置の追加及び削除を判定する処理の回数を多くすることにより、接続対象及び削除対象となる基地局装置を増加させることができる。
【０１６８】
なお、本実施の形態６において、ＨＯ制御パラメータ判定部１０５、接続判定部１０６及び通信品質検出部１７０１は制御局装置１７０３に設けることとしたが、これに限らず、ＨＯ制御パラメータ判定部１０５、接続判定部１０６及び通信品質検出部１７０１は基地局装置１７０２に設けても良い。
【０１６９】
上記実施の形態１〜実施の形態６において、Ｒｅｐｏｒｔｉｎｇ  Ｒａｎｇｅ、Ｔｉｍｅ  ｔｏ  ｔｒｉｇｇｅｒ及びＨＯインターバルの全てを可変にて設定することとしたが、これに限らず、Ｒｅｐｏｒｔｉｎｇ  Ｒａｎｇｅ、Ｔｉｍｅ  ｔｏ  ｔｒｉｇｇｅｒ及びＨＯインターバルのいずれか１つまたはいずれか２つを可変にて設定しても良い。
【産業上の利用可能性】
【０１７０】
本発明にかかる制御局装置及びハンドオーバ方法は、ダイバーシチハンドオーバする際、制御負荷を軽減することができるとともに、移動局は所定の通信品質を満たすことができる基地局と確実に接続する効果を有し、ハンドオーバするか否かを判定するのに有用である。
【図面の簡単な説明】
【０１７１】
【図１】本発明の実施の形態１に係る基地局装置及び制御局装置の構成を示すブロック図
【図２】本発明の実施の形態１に係る移動局の構成を示すブロック図
【図３】本発明の実施の形態１に係る移動局、基地局装置及び制御局装置の関係を示す模式図
【図４】本発明の実施の形態１に係る移動局、基地局装置及び制御局装置の動作を示すシーケンス図
【図５】本発明の実施の形態１に係るＨＯ制御パラメータ設定用情報を示す図
【図６】本発明の実施の形態１に係る電力レベルの時間推移を示す図
【図７】本発明の実施の形態１に係る移動局、基地局装置及び制御局装置の動作を示すシーケンス図
【図８】本発明の実施の形態１に係る移動局、基地局装置及び制御局装置の関係を示す模式図
【図９】本発明の実施の形態１に係る移動局、基地局装置及び制御局装置の動作を示すシーケンス図
【図１０】本発明の実施の形態１に係る移動局、基地局装置及び制御局装置の動作を示すシーケンス図
【図１１】本発明の実施の形態１に係る電力レベルの時間推移を示す図
【図１２】本発明の実施の形態１に係る電力レベルの時間推移を示す図
【図１３】本発明の実施の形態２に係る基地局装置及び制御局装置の構成を示すブロック図
【図１４】本発明の実施の形態３に係る基地局装置及び制御局装置の構成を示すブロック図
【図１５】本発明の実施の形態４に係る基地局装置及び制御局装置の構成を示すブロック図
【図１６】本発明の実施の形態５に係る基地局装置及び制御局装置の構成を示すブロック図
【図１７】本発明の実施の形態６に係る基地局装置及び制御局装置の構成を示すブロック図
【図１８】ダイバーシチハンドオーバを示す模式図
【図１９】電力レベルの時間推移を示す図
【符号の説明】
【０１７２】
１０１  アンテナ
１０２  共用器
１０３  受信／復調部
１０４  移動速度検出部
１０５  ＨＯ制御パラメータ判定部
１０６  接続判定部
１０７  送信／変調部
１０８  基地局装置
１０９  制御局装置
【図１】
2005311626.tif 000003
【図２】
2005311626.tif 000004
【図３】
2005311626.tif 000005
【図４】
2005311626.tif 000006
【図５】
2005311626.tif 000007
【図６】
2005311626.tif 000008
【図７】
2005311626.tif 000009
【図８】
2005311626.tif 000010
【図９】
2005311626.tif 000011
【図１０】
2005311626.tif 000012
【図１１】
2005311626.tif 000013
【図１２】
2005311626.tif 000014
【図１３】
2005311626.tif 000015
【図１４】
2005311626.tif 000016
【図１５】
2005311626.tif 000017
【図１６】
2005311626.tif 000018
【図１７】
2005311626.tif 000019
【図１８】
2005311626.tif 000020
【図１９】
2005311626.tif 000021